(57)【特許請求の範囲】
【請求項１】
設定された倍率に応じて記録媒体上に画像を形成する画像形成装置に備えられ、上記倍率を決められた単位毎に増減させて設定するためのズームキー、該ズームキーの操作に応じた設定倍率を表示する表示部を有する倍率設定装置において、
上記ズームキーは、ズームアップキー及びズームダウンキーをそれぞれ備え、
上記ズームキーの操作により設定中の倍率が等倍状態で、上記ズームアップキーが操作されると、拡大方向の予め定められた各種固定倍率及び該各種固定倍率に対応する原稿サイズと用紙サイズの組み合わせからなるサブメッセージを上記ズームアップキーの操作に応じた設定倍率と合せて上記表示部に一括して表示させ、また等倍状態で上記ズームダウンキーが操作されると、縮小方向の予め定められた各種固定倍率及び該各種固定倍率に対応する原稿サイズと用紙サイズの組み合わせからなるサブメッセージを上記ズームダウンキーの操作に応じた設定倍率と合せて上記表示部に一括して表示させる一方、上記ズームキー操作による設定倍率が等倍になれば、上記表示部に等倍状態を表示し、一括表示された各種固定倍率及びサブメッセージの表示を消す表示制御部を備えたことを特徴とする倍率設定装置を備えた画像形成装置。
【発明の詳細な説明】
【０００１】
【発明の属する技術分野】
本発明は、画像形成装置による画像形成時に、任意の倍率を設定して画像を形成するものに関する。
【０００２】
【従来の技術】
画像形成装置、特に電子写真方式を利用してなる複写装置やレーザプリンタ等においては、記録媒体である感光体を均一に帯電し、均一帯電後に原稿による反射光、あるいは画像情報に応じて駆動されるレーザ光の照射により、感光体表面に画像に応じた静電潜像が形成され、これを可視像とするために現像剤等を用いて現像している。この現像された像は、適宜搬送されてくるシート状の用紙に転写され、該用紙を定着装置へと送り込むことで、用紙上に転写されたトナー像は永久像として定着された後、外部に出力される。
【０００３】
ここで、上記感光体を特定の極性に帯電させた後に、予め設定された任意の倍率で、感光体表面を画像露光するようにしている。つまり、等倍であれば、画像そのものの露光、つまり１：１の状態で露光を行うが、縮小を行う場合には、１大きさの画像に対して露光する光像が１より小さい像で結像されるようにしている。
【０００４】
例えば、複写装置においては、原稿からの反射光像を結像レンズ等を介して縮小、又は拡大させた状態で感光体に結像させている。また、レーザプリンタ等のデジタル画像形成装置においては、レーザビームの大きさを倍率に応じて制御するものでなく、その画像の画素数を制御、例えば縮小させる場合には画素数をその倍率に応じて減らし、拡大の場合には画素数を増加させてようにしている。
【０００５】
ここで、従来では、原稿のサイズ及び使用する用紙サイズが固定された定型サイズのものであれば、決められた倍率に応じて画像を形成できる。例えば、原稿サイズがＡ３，Ａ４，Ｂ４，Ｂ５で、かつ使用する用紙サイズがＡ４，Ａ５，Ｂ４，Ｂ５の場合、原稿サイズがＡ４で、画像を形成する用紙サイズがＢ４であれば、１．２２倍（１２２％）の倍率で感光体表面に露光され、用紙サイズがＢ５であれば、０．８６倍（８６％）の倍率で感光体表面に露光される。
【０００６】
また、原稿サイズがＢ４で使用する用紙サイズがＡ４又はＢ５であれば、０．８１倍（８１％）又は０．７０倍（７０％）、原稿がＢ５で使用する用紙がＡ４又はＢ４であれば、１．１５倍（１１５％）又は１．４１倍（１４１％）での画像露光が行われることになる。
【０００７】
以上のように、定型サイズの原稿及び用紙が利用される場合には、予め決まった倍率での画像露光を行うことで、原稿の画像の全てを用紙上に形成できる。このような予め決まった倍率を固定倍率と称しており、この固定倍率での画像を望むために、固定倍率専用の設定キー（固定倍率キー）が備えられている。この固定倍率キーは、上述した倍率に応じた数のキーを設ける場合、あるいは１つの設定キーにて例えば７０％→８１％→８６％→（１００％については飛ばす場合もある）→１１５％→１２２％→１４１％→７０％といった具合に固定倍率を順番にサイクリックに設定させる場合、または拡大する方向（７０％→８１％・・・１４１％）へ固定倍率を設定するキー及び縮小する方向（１４１％→１２２％・・・７０％）へ固定倍率を設定するキーとを備えた場合等がある。
【０００８】
これに対し、倍率を１％単位で設定できるようにしたズームキー等が設けられている。つまり、上述した固定した倍率でなく、ユーザサイドで任意の倍率に設定する場合に使用される。例えば、原稿サイズがＡ４の場合で、画像を形成する用紙サイズがＢ５の場合、通常は８６％の固定倍率によって画像を形成すれば、問題ないが、これより多少倍率を小さく（例えば８３％）して画像形成する場合等に利用される。
【０００９】
【発明が解決しようとする課題】
以上の従来の倍率設定装置によれば、固定倍率を設定するキーと、任意の倍率を自由に設定できるズームキーの両方が設けられている。そのため、それらのキーの操作により、所望する倍率による画像を形成できる。
【００１０】
しかしながら、上述した倍率設定においては、熟練したオペレータであれば簡単に操作できるものの、不慣れなオペレータにおいては固定倍率がどのようなものか全く理解できない場合が多い。つまり、原稿サイズがＢ４であることが理解できても、これをＡ４サイズの用紙に画像形成を行う場合には、固定倍率キーを操作して倍率を設定するのか、ズームキーを操作して倍率を設定するのか全く理解できない。また、ズームキーを利用して、固定倍率を設定させる場合においても、その設定する固定倍率が分からず、間違った設定を行う場合がある。そのため、対照表を参照して倍率設定操作を行う必要があり、その操作が非常に面倒である。
【００１１】
また、上述したように固定倍率キーと、ズームキーとを個別に設けるため、オペレータにとっては設定キーが多くなることだけで、どのキーを操作すれば簡単に所望する倍率を設定できるのかが非常に理解しにくくなり、煩わしい操作が強要されることにもなる。しかも、上述した対照表を目視しながら、倍率設定しなければならず、その対照表がなければ、感にたよって間違った倍率設定を行いミスコピー等を行うことがある。
【００１２】
また、固定倍率キーや、ズームキー以外にも、特公平４−３５４７号公報に記載されているように、頻繁に利用する倍率を予め記憶させておき、その倍率を設定するために、その設定キーを上記ズームキーや固定倍率キーとは個別に設けている。このような設定キーを設けることで、使用頻度の非常に高い倍率設定においては、その操作が簡単になる。しかし、その倍率を予めユーザが記憶しておくことが必要となり、不慣れなユーザは、設定キーが増すことで戸惑いを覚え、倍率設定が非常な負担にもなる。
【００１３】
そこで、固定倍率を設定するために、固定倍率に対応するそれぞれの設定キーを上記特公平４−３５４７号公報にも記載されているように設け、この各設定キーに対応させて定型サイズを印刷するようにしている。例えば、７０％の固定倍率キーに対応させて、Ｂ４→Ｂ５、Ａ３→Ａ４といったように、原稿サイズに対応させた画像を形成する最適な用紙サイズの表示を行っている。
【００１４】
しかし、上述した各固定倍率に応じたキー、ズームキー、特別な倍率設定キー等を多数設けて、上述した表示を行う場合、操作パネル上に多数のキーを設けるスペースにも制約され、非常に小さな文字で印刷または表示されるのが現状であり、その表示が非常に見づらく、その表示を参考にすることは希である。また、各固定倍率に対応する全ての原稿と用紙サイズの最適状態の組み合わせが表示されていると、上述したように表示が小さくなる等の問題とも併せて、適正状態を検索するのに手間がかかり非常に面倒な操作等が必要となる。さらに、ズームキーや固定倍率キー、また使用頻度の高い倍率記憶キー等が多数操作パネル上に配置されることによるユーザ側での煩わしさのほうが先行し、操作が面倒といった印象が非常に強くなりがちとなる。
【００１５】
また、ズームキーにて固定倍率や、その固定倍率の近辺の倍率を設定する場合には、上述したように倍率そのものを熟知していればよりが、不慣れなオペレータにおいては、その設定する倍率を容易に知ることができず、設定が非常に難しくなる。
【００１６】
本発明は上述の問題点を解決するために、倍率設定のための操作を簡単にすることを第１の目的とする。また、特定の倍率設定用のキーを用いて、固定倍率の設定だけでなく、任意の倍率の設定操作を簡単にする倍率設定装置を提供することを目的とする。
【００１７】
特に本発明の目的は、倍率設定を行うためにズームキーを用いて、そのズームキーにより、固定倍率および任意の倍率を容易に設定できるように、ズームキーの操作性を向上することにある。
【００１８】
【課題を解決するための手段】
本発明の目的を達成するための倍率設定装置を備えた画像形成装置は、設定された倍率に応じて記録媒体上に画像を形成する画像形成装置に備えられ、上記倍率を決められた単位毎に増減させて設定するためのズームキー、該ズームキーの操作に応じた設定倍率を表示する表示部を有する倍率設定装置において、
上記ズームキーは、ズームアップキー及びズームダウンキーをそれぞれ備え、
上記ズームキーの操作により設定中の倍率が等倍状態で、上記ズームアップキーが操作されると、拡大方向の予め定められた各種固定倍率及び該各種固定倍率に対応する原稿サイズと用紙サイズの組み合わせからなるサブメッセージを上記ズームアップキーの操作に応じた設定倍率と合せて上記表示部に一括して表示させ、また等倍状態で上記ズームダウンキーが操作されると、縮小方向の予め定められた各種固定倍率及び該各種固定倍率に対応する原稿サイズと用紙サイズの組み合わせからなるサブメッセージを上記ズームダウンキーの操作に応じた設定倍率と合せて上記表示部に一括して表示させる一方、上記ズームキー操作による設定倍率が等倍になれば、上記表示部に等倍状態を表示し、一括表示された各種固定倍率及びサブメッセージの表示を消す表示制御部を備えたことを特徴とする。
【００１９】
以上の構成によれば、等倍状態において、ズームキーによるズームアップキーが操作されると、ズームアップ方向の各種固定倍率と共に、該各種固定倍率に対応する原稿サイズと用紙サイズとの組み合わせからなるサブメッセージが表示部に設定倍率と合せて一括して表示される。これにより、全ての固定倍率でなく、ズームアップ側の各種固定倍率とサブメッセージが表示されるため、表示された固定倍率等の認識が容易になり倍率設定操作を簡単にできる。また、ズームダウンキーが操作されると、その方向の各種固定倍率とサブメッセージが表示され、同様にして表示された固定倍率等の認識が容易になり倍率設定操作を簡単にできる。なお、倍率が等倍になれば、一括表示が消え等倍状態が表示される。
【００２７】
【発明の実施の形態】
図１は画像形成装置の倍率設定装置において、設定する倍率に応じて本発明によるに実施形態を説明する原稿と用紙サイズをサブメッセージとして設定倍率と同時に表示する形態を示す図である。また、図２は本発明にかかるオペレータが倍率設定を行うための操作パネルの一例を示す平面図、図３は画像形成装置の画像形成動作の制御を含め、図２の走査パネル部分の制御部の回路構成を示すブロック図、図４は図２の操作パネルを備えたデジタル複写機の内部構成の概要を示す断面図、図５は画像露光部がアナログ、つまり原稿画像を直接記録媒体である感光体に結像させるための他の画像形成装置における複写機の一例を示す要部断面図である。
【００２８】
まず図４に従って、本発明にかかる画像形成装置、特にデジタル複写機について説明する。図において、複写機１本体には、スキャナ部２、レーザプリンタ部３及び多段給紙ユニット４を備え、必要に応じて、装置外に排出される記録紙の後処理、例えば記録紙の分配整合等を行うソータ５が備えられている。
【００２９】
上記スキャナ部２には、透明ガラスからなる原稿載置台２１、両面対応自動原稿送り装置（ＲＤＨ）２２、及びスキャナユニット２３から構成されている。スキャナユニット２３は、原稿の画像をデジタル画像として読取るためのものであって、読取るための原稿を照明する露光アセンブリ２４、原稿からの反射光を必要領域へと反射する複数のミラー２５及び結像系レンズ２６からなる光学系２７、及び光学系２７にて上記原稿からの反射光が結像され光電変化するため読取素子であるＣＣＤ２８とから構成されている。
【００３０】
ＲＤＨ２２は、複数の原稿を一度に複数枚セットできる原稿載置部（原稿トレイ／図示せず）を備え、該原稿載置部に載置された原稿を１枚ずつ原稿の画像を読取位置へと搬送する。この時、必要に応じて搬送される原稿の表裏面が、読取位置へと搬送され、これらを順次読取ることができる。読取位置は、上記原稿載置台２２と同一水平面上に設けられ、その位置には画像を読取るための透明ガラス板は配置されている。
【００３１】
上記露光アセンブリ２４、光学系２７及びＣＣＤ２８は、同一の支持部材２９上に支持されており、該支持部材２９は、原稿載置台２１下面を平行に決められた速度で走行駆動される。これにより、原稿載置台２１上に載置された原稿の画像がＣＣＤ２８に結像され、画像が順次読み取られる。また、支持部材２９は、ＲＤＨ２２の原稿読取位置へと移動し、その位置で静止され、ＲＤＨ２２に搬送される原稿の画像を上記光学系２７を介してＣＣＤ２８に結像するようにしており、搬送される原稿の画像を順次読取るようになっている。従って、原稿が原稿載置台２１に載置されるか、ＲＤＨ２２側に載置されるかによって、上記支持部材２７、原稿載置台２１に沿って走行制御されるか、ＲＤＨ２２側の原稿読取位置に移動させて静止制御されるかが、選択される。つまり、原稿載置台２２に載置された原稿の画像を形成するモードと、ＲＤＨ２２を利用して原稿の画像を形成するモードの選択により、上記光学系２７が原稿台２２に沿って走査されるか、ＲＤＨ２２側の原稿読取位置へと移行して静止されるかが制御される。
【００３２】
原稿の画像をＣＣＤ２８で読みとった後の読取画像データは、図示していない周知の画像処理装置において、プリンタ部３で用紙上に画像を形成し出力される状態に画像処理され、これが一旦記憶される。
【００３３】
上記プリンタ部３は、上述した画像処理装置にて処理された画像情報を入力し、その画像情報に応じて駆動制御されるレーザ書込みユニット３１、該レーザ書込みユニット３１からのレーザ光が照射される記録媒体として感光体３２を有する画像形成プロセス部３３を主要素として備え、上記画像情報を適宜搬送されてくる記録紙に記録するためのものである。特にレーザ書込みユニット３１は、画像情報に応じたレーザ光（レーザビーム）を出射する半導体レーザ、レーザ光を等角速度偏向するポリゴンミラー、等角速度偏向されたレーザ光が感光体２上で等角速度偏向されるように補正するｆ−θレンズ等を備えている。
【００３４】
また、画像形成プロセス部３３は、周知の電子写真方式によるもので、感光体１を均一に特定極性に帯電させる帯電器、レーザ光の照射により形成された静電潜像を現像する現像器、現像された像を適宜搬送されてくる記録紙に転写する転写器、転写後に感光体表面に残留するトナーを除去するクリーニング器、及び感光体に残留する不要な電荷を除去し次の画像形成に備える除電器等が、感光体１の周囲に対向して配置されている。
【００３５】
さらに、プリンタ部３は、上記画像形成プロセス部３３の転写器と対向する転写位置へと記録紙を送り込むための記録紙の搬送系３４を備えている。この搬送系３４は、プリンタ部３の右側に突出状態で配置された手差し給紙台３５を含み、該給紙台３５上に載置された用紙が給紙され、感光体３２の回転と同期したタイミングで用紙の搬送開始を制御するレジストローラ、転写後の記録紙上の未定着像を定着する定着部３７、定着後の記録紙をプリンタ部３の外部に排出する経路３８と、再度画像形成プロセス部へと送り込むための経路３９との何れかの搬送経路へと切換る経路切換部３０を有している。
【００３６】
一方、プリンタ部３へと用紙を送り込むための手差し給紙台３５とは別に、自動的に選択されたサイズの用紙を順次給紙するために設けられた多段給紙ユニット４は、図において手前に引き出し可能に設けられている第１給紙カセット４１、第２給紙カセット４２、第３給紙カセット４３、及び選択により右端に追加可能な第４の給紙トレイ４４を備えている。また、これらの給紙部とは別に、プリンタ部３にて一方の面に画像を形成してなる用紙の他の面にも画像を形成するために中間トレイ４６が配置されている。さらに、多段給紙ユニット４には、上記第１、第２、第３給紙カセット４１、４２、４３及び第４給紙トレイ４４から選択的に給紙される用紙を、プリンタ部３の搬送系３４へと送り込むための合流搬送路４６、中間トレイ４５の収納された画像形成済みの用紙を上記搬送系３４へと送り込む搬送路４７、およびプリンタ部３から送られてくる画像形成済みの用紙を中間トレイ４５へと収納させるために案内するための両面搬送路４８が設けられている。
【００３７】
上記合流搬送路４６、送り込み搬送路４７、両面搬送路４８は、プリンタ部３に設けられている搬送系３４との間で受け渡しが可能なように、両搬送路中を連通する状態に設けられている。なお、両面搬送路４８においては、説明を省いたが、用紙の両面に画像を形成させる場合には、そのまま中間トレイ４５へと案内して収納させる一方、同一面に再度画像を形成する場合には、中間トレイ４５を経由させずに、そのまま搬送路４７へと用紙を案内する。そのため、中間トレイ４５へと案内された用紙は、その送り方向が中間トレイ４５の位置で反転され、搬送路４７へと送り込まれることで画像形成面が反転した状態でレジストローラ３６へと搬送される。また、両面搬送路４８から搬送路４７へと直接送り込まれた場合には、その画像形成面が再度画像形成プロセス部３３と対向するようにして搬送される。
【００３８】
さらに、ソータ５は、プリンタ部３より排出されてくる用紙を受け、多段のビン５１へと用紙を分配して排出するものであって、同一ビンでのページ数を揃えるソートモード、又は同一原稿に対する複数部の用紙を同一ビンに揃えて収納させるスタックモードに選択的に切り替えられて利用される。
【００３９】
以上の複写機１はデジタル複写機であり、原稿の画像を一旦画素分解して読取り、これを画像処理した後、この画像データを上記レーザ照射ユニット３１を介して、画像形成プロセスの感光体３２上に画像露光するようにしている。この時、感光体１に照射される画像は、設定倍率に応じて上述した画像処理装置を介して倍率処理され、これが上記レーザ照射ユニット３１を介して照射させることで、設定された倍率に応じた静電潜像が感光体３２表面に形成されることになる。つまり、読取原稿のサイズがＡ４で、複写使用とする用紙のサイズがＢ４とすれば、当然図６に示すように１．２２倍（１２２％）の倍率でデジタル処理され、これによる画像露光が行われることになる。
【００４０】
この複写機１は、デジタル複写機だけでなく、原稿の画像をそのまま感光体３２に露光する方式のものもある。これは、光学系２７が図５に示すように構成されており、原稿台１上の原稿からの反射光を、３枚のミラー２７ａ，２７ｂ，２７ｃで反射し、結像系のズームレンズ２７ｄを介してさらに固定ミラー２７ｅにて反射され、感光体３２上にがぞを照射するようにしたものである。そのため、ミラー２７ａは光源２７ｆと同一支持体に支持され原稿台２１に平行に、例えばＶの速度で駆動され、２枚のミラー２７ｂ，２７ｃは上記支持体とは別の同一支持体に支持され原稿台２１と平行に、上記速度Ｖの１／２の速度（Ｖ／２）で駆動される。
【００４１】
そこで、上記ズームレンズ２７ｄは、設定倍率に応じた焦点にて原稿からの反射光を感光体３２面に結ぶ。そして、ミラー２７ａ及び光源２７ｆは、その倍率に応じた速度で走行制御される。つまり、設定倍率がｍであれば、Ｖ／ｍの速度で駆動制御されることになり、２枚のミラー２７ｂ，２７ｃはＶ／２ｍの速度で駆動される。
【００４２】
また、ＲＤＨ２２は、原稿トレイ２２ａ上に載置された原稿を、給紙ベルト２２ｂ、反転ローラ２２ｃ及び従動ローラ２２ｄからな搬送手段を介して、原稿台２２上に配置されている搬送ベルト２２ｅにて搬送され、原稿台２１上に搬送する構成である。そして、原稿の画像が読み取られると、つまり画像露光が終了すると、反転ローラ２２ｆ及び従動ローラ２２ｇからなる搬送手段にて搬送され、各排出ローラ２２ｈ及び２２ｉを介して上述した原稿トレイ２２ａへと送り戻される。
【００４３】
ＲＤＨ２２は通常ＲＤＨモードとして動作する場合には、原稿を最下部より１枚ずつ搬送し、図の光学系２７の位置まで搬送し、該原稿を停止させることなく、搬送しながら画像を露光させるか、原稿台２１の基準位置に原稿の先端（原稿の搬送方向の後端）を位置決めして停止させ、上記光学系２７を原稿台２１に沿って走査させることで画像露光を行う。この場合、ＲＤＨモードでは原稿の１度の露光を完了すれば、原稿トレイ２２ａへと送り戻す。またＡＤＦモードとして動作する場合には、設定された複写回数分の露光走査を完了した時にその原稿を原稿トレイ２２ａへと送り戻す。
【００４４】
次に、上述した複写機１において本発明にかかる倍率設定の操作を簡単にする形態について記述する。
【００４５】
倍率設定を行うために、図２に示すように操作パネル上にその倍率設定キーの他に倍率以外の各種複写条件を設定するための多数のキー及び、その条件等を逐次表示させる表示装置等が設けられている。
【００４６】
図２において、操作パネル１０１は、本発明にかかる設定した倍率等を表示すると共に他の必要な情報を表示する表示手段としての液晶表示装置（以下ＬＣＤ：Liquid Crystal Displayと記す）１０２、本発明にかかる倍率を設定するためのキーであって、倍率を１％単位毎に変更させるズームキーであるズームアップキー１０３及びズームダウンキー１０４、複写機の操作状態等を必要に応じて案内（ガイド）する操作ガイドキー１０５、複写設定枚数を表示する設定枚数表示部１０６、複写完了枚数を表示する複写完了表示部１０７、複写枚数等を設定するためのテンキー１０８、設定した複写枚数をクリアするクリアキー１０９、及び複写動作を開始させるための複写スタートキー（プリントスイッチ）１１０を備えている。さらに操作パネル１０１上には、ソータ５１での処理、例えばスタック又は分配排出等を指示するソータ機能設定部１１１、両面または片面複写モード、その他ＲＤＨモード等を設定する複写モード設定部１１２、画像形成を行った記録紙の綴じ代を確保したり、画像のセンタリングや、トリミング等を各種画像処理機能を設定するための機能設定部１１３等が設けられている。さらに、符号１１４は、用紙を選択するための用紙選択キーである。
【００４７】
上記操作パネル１０１上のズームアップキー１０３は、倍率を１％単位で徐々に上昇、つまりズームアップさせるために操作される。またズームダウンキー１０４は倍率を１％単位で徐々に下降、つまりズームダウンさせるために操作される。
【００４８】
この操作パネル１０１は、図３に示すように複写装置の画像形成動作を制御するメインＣＰＵ１２４との間で通信インターフェースを介して接続されている。特に操作パネル１０１上のテンキー１０８、拡大／縮小キー１０３，１０４、操作ガイドキー１０５、その他の各種操作キーがマトリクス状態で接続されてなるキーマトリクス１５２、設定された機能等を表示させるためのＬＥＤ表示部１５１、及び本発明におけるＬＣＤ１０２が操作パネル制御部１２８を介して制御される。
【００４９】
上記操作パネル制御部１２８は、プログラムＲＯＭ１４１、データＲＯＭ１４２、ＣＰＵ１４３、アトリビュートＲＡＭ１４４、Ｖ−ＲＡＭ１４５，１４６、キャラクタジェネレータＲＯＭ（以下ＣＧ−ＲＯＭと記す）１４７、本発明による倍率表示を行わせるグラフィックＲＯＭ１４８、カラーパレット１４９及びＬＣＤコントローラ１５０を備えている。
【００５０】
上記プログラムＲＯＭ１４１は、ＣＰＵ１４３およびＬＣＤコントローラ１５０等と共に本発明の表示制御手段を構成するものであり、ＣＰＵ１４３の制御プログラム、特に操作パネルの制御を行うためのプログラムを予め記憶している。データＲＯＭ１４２は、複写機本体１及びＲＤＨ２２等の各部でのジャム処理のための一連の操作手順を示す文字によるメッセージのデータ並びにグラフィックＲＯＭ１４８におけるデータの格納アドレス及び表示色情報、さらに本発明にかかる倍率設定におけるサブメッセージ等の情報を例えばコードで予め記憶している。ＣＰＵ１４３は、通信インターフェースを介して画像形成装置のメインＣＰＵ１２４と接続されており、このＣＰＵ１２４からの入力に従い、プログラムＲＯＭ１４１のプログラムに基づく制御動作を行う。
【００５１】
また、アトリビュートＲＡＭ１４４は、このＲＡＭ１４４に書き込まれた表示データについて、ＬＣＤコントローラ１５０にＬＣＤ１０２での表示において、表示画像の点滅及び白黒反転等を指示するものである。そしてＶ−ＲＡＭ１４５，１４６は、ＬＣＤ１０２に表示するための本発明にかかるグラフィック表示される倍率表示及びメッセージデータ等の表示データをコードデータで一時的に記憶するためのメモリである。ＣＧ−ＲＯＭ１４７には、各文字のフォントが格納されている。グラフィックＲＯＭ１４８は、本発明による倍率（大きな文字による表示）表示、複写機の原稿サイズ及び選択された用紙サイズ等をグラフィックデータが予め記憶されている。
【００５２】
そこで、上述の構成をより理解するために、その簡単な作用について説明しておく。まず、操作パネル１０１上のズームキーであるズームアップキー又はズームダウンキー１０３又は１０４が操作されることで、キーマトリクス１５２を介して、その操作信号が操作パネル制御部１２８のＣＰＵ１４３に入力され、その操作状態を確認し、これを複写機本体のメインＣＰＵ１２４へと通信インターフェースを介して送る。メインＣＰＵ１２４側では、この操作信号を受けることで、倍率のカウントを順次行う。つまり、ズームアップキー１０３であれば、カウンタを"１"ずつ加算していく。これは、１％単位での倍率設定である。また、カウンタの内容は通常電源投入においては初期値、特に標準使用の１００％（等倍）であり、例えば"１００"がプリセットされている。
【００５３】
そして、メインＣＰＵ１２４側ではカウントされた複写倍率（画像倍率）データを、通信インターフェースを介して操作パネル制御部１２８へと送る。この倍率データを受けてＣＰＵ１４３では、プログラムＲＯＭ１４１の内容に従って、倍率データをＣＧ−ＲＯＭ１４７及びグラフィックＲＯＭにてビットデータ等に変換されこれをＶ−ＲＡＭ１４，１５に記憶させ、ＬＣＤコントローラ１５０を介してＬＣＤ１０２に表示させる。この時、本発明による倍率設定において、固定倍率付近になる状態においては、その倍率表示とは別に、メッセージ表示、例えばその固定倍率での画像形成を行える最適条件である原稿と用紙サイズを示す“Ａ４→Ｂ５”といった本発明にかかるサブメッセージを表示させるために、Ｖ−ＲＡＭ１４５，１４６等に書き込み、これをＬＣＤ１０２にて表示させる。
【００５４】
そこで、ＬＣＤコントローラ１５０は、上述にようにＶ−ＲＡＭ１４５，１４６等に記憶されたデータを、例えばＣＧ−ＲＯＭ１４７を介して読出し、この読出データに従ってＬＣＤ１０２を駆動して表示させる。この時、ＬＣＤ１０２に倍率及びメッセージ以外にグラフィックを表示させる場合には、グラフィックＲＯＭ１４８を介して読み出される。
【００５５】
また、アトリビュートＲＡＭ１４４は、先に説明したように必要に応じてＬＣＤ１０２に表示を部分的に点滅、反転等を行わせるために使用され、カラーパレット１４９はＬＣＤ１０２においてカラー表示を行わせるための必要なカラーデータが記憶されるものであって、特にＶ−ＲＡＭ１４４，１４５に記憶されたカラー表示領域のデータのカラー表示を行わせるために利用される。
【００５６】
なお、メインＣＰＵ１２４は、上述したように操作パネル制御部１２８との間で通信インターフェースを介して操作パネル部の制御を行うだけでなく、複写機１本体の画像形成動作の制御をも合わせて行っている。例えば、複写機１等の各種検出センサからの検出信号を入力することで、プリンタ部３の画像形成プロセス部３３を制御すると同時に用紙の自動選択、給紙及び搬送を制御し、画像形成をシーケンシャルに制御していく。また、ＲＤＨ２２からの各種検出センサからの信号をも入力することで、ＲＤＨ２２による原稿搬送制御をも同時に制御する。
【００５７】
以下に説明する形態においては、ズームアップキー又はズームダウンキー１０３，１０４の操作に応じて任意の倍率を簡単に設定できるようにしたものについて説明する。本発明においては、ズームキーを用いて固定倍率及びその他の任意の倍率を従来に比べて簡単に設定で、そのキーの操作性を向上するようにしたものである。
【００５８】
そこで、詳細な説明の前に、簡単にその倍率設定の本発明の特徴について説明する。例えば画像形成倍率として固定倍率を設定させる場合、上記ズームアップキー又はズームダウンキー１０３又は１０４のいずれかが操作される。この操作に応じて、スタート時（初期時）の倍率が順次１％単位で増減されて表示される。その時、所定の固定倍率、例えば８６％または１１５％に近くなると、その固定倍率表示に合わせて、固定倍率である８６％または１１５％における定型サイズによる最適な原稿と用紙サイズの組み合わせによるものをサブメッセージとしてＬＣＤ１０２に表示させる。ここで、原稿サイズは、シート状の原稿サイズだけでなく、デジタル画像の場合、例えばスキャナや画像入力手段（ワードプロセッサやパーソナルコンピュータ等）を介して入力される画像サイズ等をも含む。
【００５９】
オペレータは、上述の倍率設定のためのキー操作において、表示される倍率と同時にサブメッセージを目視し、固定倍率の状態を知ることができる。そこで、サブメッセージに表示される固定倍率毎の内容に基づいて、ユーザは固定倍率の設定を容易に行える。また、固定倍率近辺での任意の倍率設定を行う場合には、そのサブメッセージの表示を参考にして、倍率設定が行えるため、その操作が簡単になる。
【００６０】
図７及び図８はズームアップキー１０３又はズームダウンキー１０４が操作された時の１％単位で拡大（ズ−ムアップ）又は縮小（ズ−ムダウン）される状態の基本制御フローである。この図を参照してズームアップ又はズームダウンされる制御状態について説明する。これは、１％単位で倍率を推移させていく例を示すものであって、この事例に本発明が限定されるものではない。
【００６１】
まず、操作パネル１０１の拡大キー（ズ−ムアップキー）１０３が操作されると、図７において１％単位に倍率を上昇するズ−ムアップ制御が行われる。そこで、ズ−ムアップキー１０３が操作されると、その操作状態が確認（Ｓ１）され、カウンタの内容が“０”か否かが確認（Ｓ２）される。このカウンタは、ズ−ムアップキー１０３又はズームダウンキー１０４が操作（ＯＮ）された状態が維持されている時に、連続的に倍率を増減させるためのもので、初期にはその倍率の増減の推移周期を遅くし、操作継続の時間が長くなれば、増減する倍率の推移する周期を早くするように制御し目的の倍率設定をするための時間短縮を図る目的によるものである。
【００６２】
ここでは、上記カウンタ（Ｃ）の内容は"０"であり、次にタイマＴを４００ｍｓｅｃにセットし、タイマ動作を開始（Ｓ３）させる。その後、上記カウンタ（Ｃ）の内容を"１"カウントアップ（Ｓ４）させ、倍率カウンタ（Ｍ）の内容を同様に"１"カウンタアップ（Ｓ５）させる。この設定された倍率を操作パネル制御部１２８へと送る（Ｓ６）。
【００６３】
一方、メインＣＰＵ１２４側では、再度Ｓ１に戻る。この時、上記ズ−ムアップキー１０３が継続して操作されていることをステップＳ０にて確認することで、Ｓ１→Ｓ２へと移行し、カウンタの内容が"０"でないことを確認し、先にセットされたタイマＴが４００ｍｓｅｃを計時したか否かが確認（Ｓ７）され、確認されなければＳ１→Ｓ２→Ｓ７の動作を繰返す。そして、タイマＴが４００ｍｓｅｃを計時すれば、カウンタ（Ｃ）の内容が５未満か否かをチェック（Ｓ８）し、再度タイマＴに４００ｍｓｅｃがセット（Ｓ９）され計時動作を開始すると共に、カウンタ（Ｃ）の内容が"１"カウントアップ（Ｓ４）され、倍率カウンタ（Ｍ）が"１"カウントアップ（Ｓ５）され、操作パネル制御部１２８に転送され（Ｓ６）、その内容がＬＣＤ１０２を介して表示される。
【００６４】
上述のようにして、ズ−ムアップキー１０３を継続操作させておれば、４００ｍｓｅｃ毎に１％単位にズ−ムアップされていき、５％増加されと、カウンタＣは“５”となっており、次にＳ８→Ｓ１０→Ｓ１１へと移行し、次回からタイマＴが２００ｍｓｅｃにセット（Ｓ１１）され、２００ｍｓｅｃ毎に１％単位でズ−ムアップされていく。そして１０％の倍率変化があれば、以後はＳ１２→Ｓ１３と経由し、１００ｍｓｅｃ毎に１％単位でズ−ムアップされていくことになる。上記Ｓ１２には、倍率カウンタＭの内容が“１４１”に達していれば、それ以上の倍率設定ができないため、倍率カウンタＭ等のカウントアップを行うことなくＳ１へとそのまま戻る。つまり、ズームアップキーが継続操作（ＯＮ）され、倍率の上限に達した状態ではその倍率状態が維持され、それ以上の倍率設定が行わないように禁止している。
【００６５】
また、ズームダウンキー１０４が操作された場合には、図８に示すように上述とは逆に１％単位にズームダウンされて、その状態が逐次ＬＣＤ１０２に表示されていく。なお、ズ−ムアップキー１０３またはズームダウンキー１０４の操作を解除（ＯＦＦ）すれば、その状態がステップＳ０（又はステップＳ００）にて検知され、この状態でカウンタＣの内容はクリアされ、“０”となる（Ｓ１５又はＳ０１５）。しかし、倍率カウンタＭは、設定された内容を維持する。しかし、複写機の電源投入時や複写機が所定時間使用させずに放置されていた時には、初期値として設定倍率は１００％に設定されるため、倍率カウンタＭは“１００”にプリセットされる。そのため、この状態でズ−ムアップ又はズームダウンキー１０３又は１０４を操作すれば、１００％の内容で上述した１％単位に増減されていくことになる。
【００６６】
そこで、操作パネル制御部１２８側では、メインＣＰＵ１２４側からおくられてくる設定倍率データを、ＬＣＤ１０２に表示させることは上述した通りである。しかも、本発明においては、メインＣＰＵ１２４より転送されてくる倍率データに応じてサブメッセージを、倍率表示と同時にＬＣＤ１０２に表示させている。
【００６７】
これは、図９に示す制御フローに従って説明すれば、操作パネル制御部１２８側では、メインＣＰＵ１２４より倍率データが転送されてくると、ステップＳ２０にて倍率データが転送されてきた状態を確認し、Ｓ２１→Ｓ２２へと進み、その転送されてきた倍率データが、固定倍率付近か否かが確認（Ｓ２２）される。この固定倍率データについては、例えばデータＲＯＭ１４２に記憶されており、この記憶データと上記設定された倍率データとの比較を行う。
【００６８】
上記データＲＯＭ１４２は、６４％〜１４１％までの範囲での倍率設定が可能な場合において、図６に示す通り、その固定倍率として、７０％，８１％，８６％，１１５％，１２２％及び１４１％が記憶されている。また、比較においては、例えば上記固定倍率の±５％の範囲で確認する。例えば、８１％の固定倍率に対し、７６％から８６％において、ステップＳ２２ではＹｅｓとして判断される。このステップＳ２２は、本発明における設定された倍率（倍率カウンタＭにてカウントされた倍率）が、固定倍率か又はその近辺の倍率かを判別する判別手段である。
【００６９】
もし、設定倍率が特定の固定倍率付近でないことが確認されれば、ステップＳ２３にて、設定された倍率のみＬＣＤ１０２の決められた領域にグラフィック表示される。しかし、設定倍率データが、特定の１つの固定倍率付近であることが確認されれば、ステップＳ２４にてその設定倍率の表示と同時にサブメッセージが通常の文字形態、特にＣＧ−ＲＯＭ１４７に記憶された内容で表示される。このサブメッセージとしては、原稿サイズと用紙サイズとの最適条件での組み合わせである。例えば、図６に示すように、固定倍率７０％であればＡ４（原稿又は画像サイズ）→Ａ５（用紙サイズ）、Ａ３→Ａ４，Ｂ４→Ｂ５といった内容である。
【００７２】
以上説明した形態によれば、ズームアップキー１０３又は１０４の操作により、設定倍率が特定の固定倍率付近になれば、サブメッセージが設定された倍率と同時に表示される。この表示をオペレータが目視することで、その時の設定倍率により判断せずとも、原稿と用紙サイズの最適条件の表示を目視して判別できる。そのため、オペレータによる目的とする倍率設定が簡単になる。また、オペレータが倍率そのものを熟知しておれば、サブメッセージでなく設定される倍率を目視して目的の倍率状態を簡単に操作できる。オペレータにおいては熟練していなくても、熟練者であっても同様にして簡単に操作できることになる。
【００７３】
なお、図９において、ステップＳ２３又はＳ２４にて設定倍率がある固定倍率付近でない時、または固定倍率付近であれば、その固定倍率と同時にサブメッセージを表示させている。この表示において、例えば、図１０（Ａ）または（Ｂ）に示すように、複写機１において原稿トレイ上にセットされた原稿サイズ（例えばＢ５）及び選択されている用紙サイズ（例えばＡ４）を同時にグラフィック表示させるようにしてもよい。このような、表示においては、データＲＯＭ１４２に複写機を示す表示のためのコード等を記憶させておき、そのコードに対応する表示に必要となるビットデータをグラフィックＲＯＭ１４８を介して読み出し、ＬＣＤコントローラ１５０を介して表示される。そして、原稿サイズ及び用紙サイズにおいては、メインＣＰＵ１２４よりＣＰＵ１４３へと、そのデータが送られてくることで、その時のサイズ表示を行わせることができる。
【００７４】
この図１０のような表示が合わせて行われれば、その時のサブメッセージの表示と、現在の原稿サイズ及び用紙サイズとの基づく固定倍率を容易に把握することができ、よってズームキーを用いて固定倍率の設定がより簡単に、かつ確実に行える。また、この固定倍率近辺での任意の倍率を設定する場合、その表示が参考になり、正確な倍率設定が行える。
【００７５】
ここで、固定倍率としては、図６の例に従い、Ａ及びＢ系列における固定倍率形態を示したが、これに限るものではなく、インチ系においても同様である。例えば、６４％（８．５×１１→５．５×８．５，１１×１７→８．５×１１）、７７％（８．５×１４→８．５×１１，１１×１７→８．５×１４）、１２１％（８．５×１４→１１×１７）、１２９％（５．５×８．５→８．５×１１，８．５×１１→１１×１７）といった固定倍率になる。そのため、インチ系においても、ズームアップ又はズームダウンキー１０３又は１０４の操作に応答して、上記固定倍率の±５％の範囲になれば、その時の原稿及び用紙サイズにおける最適条件でのサブメッセージを合わせて表示されることになる。
【００８１】
ここで、図７及び図８においては、ズームアップキー又はズームダウンキー１０３，１０４の操作に関連して、操作開始当初について４００ｍｓｅｃ毎、最終的に１００ｍｓｅｃ毎に１％単位で倍率をズームアップ又はズームダウンさせるようにしているが、これに限定されるものではない。つまり最初から決められた時間毎、例えば２００ｍｓｅｃ毎にズームアップ又はズームダウンされてもよく、オペレータが変化する倍率を目視できる程度のスピードで倍率設定できるようにしてやればよい。
【００８２】
以上説明した倍率表示については、決められた時間に応じて倍率変化が推移するものあって、所望の倍率設定を早くするために、その推移する時間を早くしている。そのため、目的の倍率値を判断してキー操作を解除するタイミングがずれることがあり、目的の倍率の手前、あるいは目的の倍率よりオーバーした状態に設定することにもなる。
【００８３】
このようなことを解消するためにも、上記固定倍率付近におけるサブメッセージの表示において、そのサブメッセージの表示に合わせて設定される倍率の変化の推移を遅くする。例えば、ズームアップ又はズームダウンキー１０３又は１０４の操作開始時点では、本実施形態の説明においては、４００ｍｓｅｃ毎にズームアップ又はズームダウンが行われており、１０％の変化後には１００ｍｓｅｃ毎にズームアップ又はズームダウンされ、目的の倍率設定よりいきすぎたり、手前で止めてしまう場合がある。そのためにも、固定倍率付近、特にサブメッセージが表示された時点より、継続してズームアップ又はズームダウンキ１０３又は１０４が操作されている場合には、初期の４００ｍｓｅｃ毎にズームアップ又はズームダウンさせるようにすることができる。これは、先に説明したようにタイマＴにセットする時間により簡単に実行でき、このタイマＴを含め、倍率カウンタＭのカウントアップ又はカウントダウンを行う周期、特に倍率を１％単位で変更する周期を制御するカウント制御部を構成する。
【００８４】
本実施形態においては、ズームアップ又はズームダウンにおいては３段階の切換を行っている。つまり初期では４００ｍｓｅｃ、次の段階で２００ｍｓｅｃに、最後に１００ｍｓｅｃに切換えている。これに限らず、ズームアップ又はズームダウンにおいて、初期状態より決まった時間、例えば１００ｍｓｅｃ毎にズームアップ又はズームダウンされる場合においては、上述したように固定倍率によるサブメッセージが表示する期間においては２００ｍｓｅｃ毎に変化するようにしても、目的の倍率を簡単に設定できる。要するに、サブメッセージが表示される段階にいては、それまでのズームアップ又はズームダウンの変化時間より多少長い時間経過毎に変化させるようにすればよい。
【００８５】
ただし、初期の４００ｍｓｅｃ毎の変化においては、これ以上変化時間を設定すれば、煩わしくなるため、その４００ｍｓｅｃを維持させて倍率を１％毎変化させるようにすればよい。つまり、最長の時間よりも長く変化させないようにすればよい。
【００８６】
以上の実施態様によれば、固定倍率付近で設定される倍率の変化（１％毎の変化）が、遅くなるため、固定倍率付近での倍率設定が容易に、且つ１度の操作により確実に行うことが可能になる。そのため、倍率設定に費やす時間を軽減できると同時に操作性を向上できる。
【００８７】
（本発明の実施形態）
次に、本発明による実施形態について説明する。上述した形態において固定倍率付近に限ってサブメッセージの表示を行っている。そのため、サブメッセージについては、固定倍率に近付かないと表示されないため、不慣れなオペレータは、表示が消えた状態ではどのような倍率設定を行えばよいか理解できない場合がある。そのため、この実施形態においては、目的の倍率を設定するためにズームアップ又はズームダウンを行う時に、初期の倍率に対しズームアップする状態での各種固定倍率に対応するサブメッセージを一括して表示させる。
【００８８】
例えば、Ａ及びＢ系における固定倍率で説明すれば、ズームアップ又はズームダウンを行う前の初期の倍率が８５％である時に、ズームアップキー１０３を操作することで、８５％以上の固定倍率における各種サブメッセージを表示する。つまり、８５％以上の固定倍率としては、８６％，１１５％，１２２％及び１４１％であり、各固定倍率での原稿サイズと用紙サイズの最適条件での組み合わせによるサブメッセージが一括して表示される。この表示を参考にしてオペレータは目的の倍率設定を容易に行える。
【００８９】
そこで、上述した動作を実現するめの制御を図１の制御フローに従って説明する。該図１のフローを実行する前に、図７又は図８の制御フローにおいて、ズームアップキー１０３又はズームダウンキー１０４のいずれかが操作されることになる。
【００９０】
その操作を確認すると、図７又は図８の制御フローが実行され、ステップＳ６（又はズテップＳ０６）にて初期の倍率に"１"増減された設定倍率が操作パネル制御部１２８に転送される。この転送された倍率データを操作パネル制御部１２８が受けると、図１に示す制御フローが操作パネル制御部１２８側、特にＣＰＵ１４３にて実行される。
【００９１】
そのため、倍率データを受信したことを確認（Ｓ３０）すれば、受信データが設定倍率であることを認識（Ｓ３１）し、上記ズームアップキー１０３又はズームダウンキー１０４が操作される前の設定倍率（ｍ）が、記憶部Ｍ２に記憶され、転送されてきた新たな設定倍率（ｍ１）を記憶部Ｍ１に記憶（Ｓ３２，Ｓ３３）させる。上記初期の設定倍率（ｍ）は通常記憶部Ｍ１に記憶されており、その記憶部Ｍ１の内容が記憶部Ｍ２に移され記憶される。上記転送されてきた新たな設定倍率（ｍ１）とは、図７又は図８におけるズームアップキー１０３又はズームダウンキー１０４の操作により設定された倍率カウンタＭのカウント内容である。
【００９２】
そして、記憶部Ｍ１とＭ２の内容が次のステップで比較（Ｓ３４）され、記憶部Ｍ１の転送された倍率（ｍ１）の方が記憶部Ｍ２の倍率（ｍ）より大きければ、ズームアップキー１０３によるズームアップ状態であることが認識される。一方、記憶部Ｍ１の倍率の方が記憶部Ｍ２の倍率より小さい場合には、ズームダウンキー１０４の操作によるズームダウン状態であることが認識される。
【００９３】
そこで、各記憶部の記憶内容Ｍ２（ｍ）＞Ｍ１（ｍ１）であれば、ステップＳ３５へと進み、図に示すようにＬＣＤ１０２に設定倍率及びズームダウン側に存在する各種固定倍率と共に、原稿及び用紙サイズの最適条件での組み合わせによるサブメッセージが表示される。また、Ｍ２＜Ｍ１であれば、ステップＳ３６へと進み、図に示すようにＬＣＤ１０２に、設定倍率及びズームアップ側に存在する各種固定倍率と共に、原稿及び用紙サイズの最適条件での組み合わせによるサブメッセージが表示される。
【００９４】
以上の表示において、オペレータは、一括表示される各種固定倍率におけるサブメッセージを参照して、目的の倍率を容易に設定できる。
【００９５】
上記サブメッセージの表示は、操作後の所定期間のみ表示させ、以後は消去し、設定倍率のみ表示させるようにすればよい。その所定期間としては、オペレータが表示されたサブメッセージを認識できる程度であって、例えば５秒程度に設定してもよい。また、固定倍率又は固定倍率付近になれば消されたサブメッセージを再度一括して所定期間表示させるようにしてもよい。この場合、特定の固定倍率付近における原稿と用紙サイズとの適正条件の組み合わせのみ表示させるようにしてもよいし、一括して表示させるようにしてもよい。従って、固定倍率付近になれば、再度サブメッセージが表示させることでオペレータは、目的の設定倍率を再認識できるため、間違いなく目的の倍率設定を容易に行え、その操作がより簡単になる。
【００９６】
図１において、ズームアップキー１０３又はズームダウンキー１０４の操作時において、ズームアップ又はズームダウン方向に存在する各種固定倍率とサブメッセージを表示させる場合、所定時間後にサブメッセージを消去させるように説明したが、サブメッセージについては各種固定倍率を含めて常時表示させておき、一括表示された一つの固定倍率を通過した時に、その固定倍率でのサブメッセージを消去し、残りの固定倍率に対応するサブメッセージを表示させる。このようにすることで、不要な条件が消去されることで目的とする倍率の認識が容易になり、その倍率設定をより確実に間違えることなく行える。
【００９７】
つまり、図１１に示すようにＬＣＤ１０２に表示される状態において、例えば初期値が１００％（等倍）からズームアップキー１０３を操作し、その操作が継続（ＯＮが継続）されている状態において、操作当初は１１５％，１２２％及び１４１％の固定倍率における原稿と用紙サイズの最適条件での組み合わせからなるサブメッセージが表示される。そして、１１５％の倍率状態までその表示状態が維持され、１１５％の固定倍率を通過し設定倍率が１１６％の倍率になれば、１１５％の固定倍率に対応するサブメッセージが消去される。
【００９８】
さらにズームアップキー１０３の継続操作により、１２２％の固定倍率を経過するまでは、ズームアップ方向での固定倍率と共に対応するサブメッセージが表示され、倍率が１２３％となれば残りの１４１％の固定倍率に対応するサブメッセージのみが表示される。以上のように、固定倍率を通過する毎に、必要でなくなる固定倍率及びそのサブメッセージを消去されるため、目視する時の煩わしさが軽減され、操作性を向上できると共に目的の倍率設定を間違いなく簡単にするこができる。
【００９９】
この説明においては、ズームアップ方向について説明したが、ズームダウン方向での固定倍率の一括表示と対応するサブメッセージの表示を行い、表示されている固定倍率を通過すれば、その都度、その固定倍率及び対応するサブメッセージの消去が行われることになる。
【０１００】
図１１では、固定倍率を通過する毎に、その通過した固定倍率を消去していく事例での説明である。これとは別に、一括して表示されている固定倍率と共にサブメッセージを表示している状態において、通過した固定倍率において消去するのではなく、次にくる固定倍率と他の固定倍率とを異なる状態で表示させる。これにより、目的とする設定倍率の設定をより分かり易くすると共に、目的の設定倍率が通過していることが容易に認識できる課題を解決できることにもなる。
【０１０１】
図１２は、上述した事例を示す表示例である。該図１２において、初期において図１１と同様に１００％（等倍）であれば、ズームアップキー１０３を操作すれば、その設定が１０１％の倍率としてズームアップされる。この状態において、一括して１００％に対するズームアップ方向の各種固定倍率及びこれに対応するサブメッセージが合わせて一括してＬＣＤ１０２上に表示される。この時、最初にくる固定倍率１１５％に対応するサブメッセージの表示１０２ａを、他の固定倍率１２２％と１４１％と対応するサブメッセージの表示１０２ｂと区別して表示させる。
【０１０２】
そして、設定倍率が１１６％になれば、次の固定倍率１２２％についてのみ、他の固定倍率に対して区別して表示させ、最後に１２３％になれば１４１％の固定倍率を他の倍率とは区別して表示させる。
【０１０３】
このように一括表示された各種固定倍率のなかで、設定倍率の表示部に表示された倍率の次の固定倍率が図では反転表示され、他の固定倍率の表示と容易に区別できる。そのため、次の固定倍率を容易に認識でき、目的とする倍率設定を行い易くなる。また、設定倍率の表示状態と固定倍率との関係を容易に認識できるため、目的となる設定倍率が通過したか否かの判別が容易になり、通過していければ、その操作を継続させて、目的の倍率設定を間違えることなく確実に操作できる。そして、通過した状態を確認すれば、ズームアップキー１０３とは別にズームダウンキー１０４を操作し、目的の倍率設定を容易に行える。この時、ズームダウン方向での固定倍率が一括して表示され、最初の固定倍率が他の固定倍率と区別して表示されるため、その近辺での倍率設定をも、きわめて容易に設定できることになる。
【０１０４】
以上はズームアップキー１０３の操作での説明であるが、ズームダウンキー１０４の操作においても同様であるため、その説明は省略する。
【０１０５】
また、表示の区別としては、反転表示を行う他に、色を変えることや、大きな文字で表示させるか、先頭部分に→等のマークを付す等により実施できる。この反転表示においては、先に説明したように、アトリビュートＲＡＭ１４４が利用され、また色を変える場合には、カラーパレット１４９等が利用される。また、色を変える場合には、当然ＬＣＤ１０２にカラー画像の表示装置である。
【０１０６】
この実施形態による最後の態様として、サブメッセージの固定倍率を含む一括表示としては、複写機１が設定されるモードに応じて一括表示させる領域を制限する。例えば、図４に示す複写機においては、ＣＣＤにて画像を読取り、この読み取ったデジタル画像を設定倍率に応じて画像処理するため、読取速度としては設定倍率に関係なく常に一定の関係で読取走査が行われる。
【０１０７】
しかし、図５に示すような原稿の画像を直接感光体３２に結像させる場合には、設定された倍率に応じて光学系の走査速度制御を行う必要がある。ここで、原稿台２１に載置し、光学系２３を走査して原稿の画像を感光体３２に露光する場合には、速度変動等の問題を解消して、設定された速度で光学的な走査を行える。しかし、ＲＤＨ２２等において、原稿を搬送しながら、その反射光を固定された光学系２７を介して感光体３２に結像する場合には、その倍率の許容される範囲が、原稿台２１上に原稿を走査する場合に比べて小さい。例えば、光学系２７を走査して行える倍率が、６４〜１４１％であるとすると、原稿を搬送しながら感光体３２に画像を結像させる場合には、７０〜１２１％程度に限られてしまう。これは画像を正確に感光体３２に結像させるためである。
【０１０８】
そのため、ＲＤＨ２２による画像形成を行うモードが選択されれば、上述した倍率の範囲での固定倍率及びサブメッセージが合わせて表示される。この事例については、図１３に示す通りである。
【０１０９】
この図１３において、初期値が６９％である時に、ズームアップキー１０３が操作されると、７０％の設定倍率と共に、ズームアップ方向の固定倍率７０％，８１％，８６％，１１５％と共に、その時の原稿及び用紙サイズの最適条件であるサブメッセージが合わせて表示される。そして、ズームアップキー１０３を継続操作すると、倍率が徐々にズームアップされ倍率が７１％，７２％・・・１００％と推移し、１００％状態ではサブメッセージ等が消去される。また、それ以後の１１５％の固定倍率を通過した状態でサブメッセージの表示を消去し、１２１％の倍率までズームアップし、それ以後のズームアップを禁止する。
【０１１０】
通常、ＲＤＨモードでなく原稿を原稿台２１に静止させた状態で複写を行うモードであれば、上述の固定倍率以外に、１２２％，１４１％の固定倍率をも合わせ、この固定倍率と対応したサブメッセージが表示されるが、設定されたＲＤＨモードにおいては、許容範囲外の１２２％及び１４１％については、表示されない。このように、サブメッセージの表示は、予め設定された複写モードに応じて、個々のモードに許容される原稿と用紙サイズの対応関係をサブメッセージとして表示させるので、オペレータは許容範囲内で固定倍率、あるいは目的の任意の倍率を設定を簡易に、かつ確実に設定できる。
【０１１１】
なお、ＲＤＨモードのように設定する倍率範囲が決められている他のモードとしては、原稿を原稿台２１に静止させた状態でセットし、このセット原稿に対し左右の画像を別々の用紙に複写する１セット２コピーモードがある。これは、例えばブック原稿を見開き状態で原稿台２１上にセットし、左右の頁の画像に対して、個々の用紙にコピー、又は１枚の用紙の表裏面にコピーする場合に利用される。そのため、その時に設定できる倍率としては６４％〜１００％（複写機の許容設定倍率が６４％〜１４１％とした場合）となり、拡大コピーは行えなくなる。このようなモード設定においても、上記範囲に存在する各種固定倍率がサブメッセージと共に一括して表示されることになる。
【０１１２】
この実施形態においても、サブメッセージの表示と同時に図１０に示すように、複写機全体及び原稿サイズと選択された用紙サイズ、さらに給紙可能な用紙サイズ等を合わせて表示させるようにしてもよいことは勿論である。
【０１７４】
なお、上述した各実施形態においては、図４及び図５に示す複写機における倍率設定であるが、このような複写機でなく、プリンタにおいても同様に実施できることは勿論である。つまり、プリントに送られてくるが画像データを任意の倍率にて用紙上にプリントさせる場合に、その任意の倍率を予め設定しておく必要がある。その倍率設定において上述した倍率設定をそのまま利用できる。例えば、画像データの大きさ、例えばサイズが図６に示すような定型サイズであれば、このサイズに対応する用紙サイズに対するサブメッセージを表示させ、この表示に従った倍率設定を行える。
【０１７７】
【発明の効果】
本発明によれば、固定倍率とサブメッセージについては、ズームアップキー又はズームダウンキーの操作に応じて設定倍率と共に一括して表示させることで、目的の設定倍率の認識が容易になり、倍率設定がより簡単にできる。
【図面の簡単な説明】
【図１】  本発明による各固定倍率とサブメッセージとの組合わせを示す実施形態を説明するための制御フローチャート。
【図２】  本発明の倍率設定にかかる操作パネルの一例を示す平面図。
【図３】  画像形成のための制御を含め、本発明による倍率設定における制御回路構成にかかるブロック図。
【図４】  本発明の倍率設定装置を備えるデジタル複写機の内部構造の概略を示す断面図。
【図５】  本発明の倍率設定装置を備えてなる他の複写機の要部の構造を示す断面図。
【図６】  定型サイズにおけるＡＢ系列の原稿サイズと用紙サイズとの組み合わせによる本発明にかかるサブメッセージと固定倍率との関係を示す図。
【図７】  倍率設定を行うためのズームアップキーの操作により倍率がズームアップ方向に変化する推移を制御するためのフローチャート。
【図８】  倍率設定を行うためのズームダウンキーの操作により倍率がズームダウン方向に変化する推移を制御するためのフローチャート。
【図９】  設定された倍率をその倍率と同時に本発明におけるサブメッセージを表示させるための制御フローチャート。
【図１０】  倍率設定を行うために設定倍率と共に、複写機における原稿サイズと給紙される用紙サイズの中から選択中の用紙サイズとを合わせて表示させる表示例を示すもので、（Ａ）は固定倍率に関係のない状態での表示形態を、（Ｂ）は固定倍率でのサブメッセージを含めた表示形態を示す図。
【図１１】  本発明の実施形態において、他の態様にかかる倍率変化の推移とサブメッセージの表示形態の一例を示す図。
【図１２】  本発明の実施形態において、倍率変化の推移とサブメッセージの表示形態の他の例を示す図。
【図１３】  本発明の実施形態において、倍率変化の推移とサブメッセージの表示形態のその他の例を示す図。
【符号の説明】
１  複写機本体
２  スキャナ部
２１  原稿載置台（原稿台）
２２  ＲＤＨ（原稿搬送処理装置）
２７  光学系
３  プリンタ部
３２  感光体
３３  プロセス部
４  給紙ユニット
１０１  操作パネル
１０２  ＬＣＤ（表示部）
１０３  ズームアップキー（ズームキー）
１０４  ズームダウンキー（ズームキー）
１２４  メインＣＰＵ（プロセス及び倍率設定制御用）
１２８  操作パネル制御部
１４３  ＣＰＵ（表示の制御手段）
１４７  キャラクタジェネレータ（ＣＧ−ＲＯＭ）
１５０  ＬＣＤ制御部（表示制御部）
【図１】
0003761106.tif 000002
【図２】
0003761106.tif 000003
【図３】
0003761106.tif 000004
【図４】
0003761106.tif 000005
【図５】
0003761106.tif 000006
【図６】
0003761106.tif 000007
【図７】
0003761106.tif 000008
【図８】
0003761106.tif 000009
【図９】
0003761106.tif 000010
【図１０】
0003761106.tif 000011
【図１１】
0003761106.tif 000012
【図１２】
0003761106.tif 000013
【図１３】
0003761106.tif 000014